(57)【要約】      （修正有）【課題】玩具銃の外観を損なわずに、玩具銃に取り付けられたガスカートリッジを覆い隠すパネルの着脱を容易にする。【解決手段】ガスカートリッジＢは、カートリッジ収納部１１１に作られた収納空間１１１ａに収納され、弾丸Ｗの発射するための圧縮ガスＰＡを供給する。カートリッジ収納部１１１の第１の面１１１ｂには、ガスカートリッジＢを導入するための導入口１１２が設けられる。作用部１３２は、カートリッジ収納部１１１に設けられ、第１の面１１１ｂに沿う方向に移動する。パネルは、カートリッジ収納部１１１に着脱自在に取り付けられ、導入口１１２を覆う。パネルの蓋部からは、突部が延びる。突部には、傾斜部が設けられる。作用部は、傾斜部に滑り接触し、パネルを動かす。【選択図】図２
2012077960.tif 000002
【特許請求の範囲】
【請求項１】
圧縮ガスが蓄えられる気室を形成する気室ボディと、
前記気室内の圧縮ガスを放出させる放出機構と、
圧縮ガスが封入されたガスカートリッジを収納するための収納空間を形成するカートリッジ収納部と、
前記カートリッジ収納部に収納されたガスカートリッジが連結され、このガスカートリッジ内の圧縮ガスを前記気室に導くカートリッジ取付部と、
前記カートリッジ収納部の第１の面に設けられ、前記収納空間に導入される前記ガスカートリッジが通過する導入口と、
前記カートリッジ収納部に設けられ、前記第１の面に沿う方向に移動する作用部と、
前記導入口を閉じる蓋部と前記蓋部から突出する突部とを有し、前記突部を前記導入口に挿入させて前記カートリッジ収納部に着脱自在に取り付けられるパネルと、
前記突部に設けられ、前記作用部が滑り接触する傾斜部と、
を備える玩具銃。
【請求項２】
前記カードリッジ収納部に連結され、前記第１の面とは異なる前記カートリッジ収納部の第２の面に対して近接離反する第１のアーム要素と、
前記第２の面を摺動する当接部と、前記第１のアーム要素に回動自在に連結される支点部と、前記支点部に対して前記当接部とは反対側に位置する操作部とを含む第２のアーム要素と、
を更に備え、
前記作用部は、前記第２のアーム要素で前記支点部よりも前記当接部側に設けられる、
請求項１記載の玩具銃。
【請求項３】
前記第１のアーム要素の変位に伴って、前記カートリッジ収納部に収納されたガスカートリッジを前記カートリッジ取付部に向けて押す押圧部を更に備える、
請求項２記載の玩具銃。
【発明の詳細な説明】
【技術分野】
【０００１】
本発明は、圧縮ガスが封入されたガスカートリッジを装着でき、圧縮ガスの噴射圧を利用して弾丸を発射させる玩具銃に関する。
【背景技術】
【０００２】
従来、二酸化炭素等の圧縮ガスを収納したガスカートリッジを装着でき、圧縮ガスの噴射圧を利用して弾丸を発射させる玩具銃がある。圧縮ガスは、玩具銃に備わっているトリガへの操作に応じて放出される。圧縮ガスは、玩具銃に籠められた弾丸にあたる。これにより、弾丸は発射される。
【０００３】
玩具銃に取り付けられたガスカートリッジを覆い隠すために、パネルが玩具銃に取り付けられることがある。このパネルは、ガスカートリッジの交換の際には取り外され、玩具中の使用の際には再び装着される。パネルは、玩具銃を実銃であるかのように見せる役割も果たす。
【０００４】
上記のような玩具銃の一例は、特許文献１に記載のエアガンＧである。特許文献１の図３〜図６を参照する。エアガンＧのグリップ部１には、カートリッジ収納部２が形成されている。カートリッジ収納部２には、高圧ガスカートリッジＡを導入するための開口が形成されている。開口は、エアガンＧの横側面に位置する。サイドグリップパネル１０は、グリップ部１に対して着脱自在に取り付けられ、この開口を開閉する。
【先行技術文献】
【特許文献】
【０００５】
【特許文献１】米国特許第７２９０５３９号明細書
【発明の概要】
【発明が解決しようとする課題】
【０００６】
ガスカートリッジを覆い隠すパネルは、玩具銃に対する取り付けや取り外しが容易なものが望ましい。
【０００７】
ここで、特許文献１の図１、図３及び図４にあるように、サイドグリップパネル１０の下方に突起を設けることを考える。この場合、エアガンＧの使用者は、この突起をつまむことで、サイドグリップパネル１０を容易に着脱できる。しかしながら、この突起は、エアガンＧの外観において目立ってしまう。そして、実銃を模した外観の玩具銃を楽もうとしている使用者にとって、この突起は目障りである。
【０００８】
本発明の目的は、玩具銃の外観を損なわずに、玩具銃に取り付けられガスカートリッジを覆い隠すパネルの着脱を容易にすることである。
【課題を解決するための手段】
【０００９】
本発明の玩具銃は、圧縮ガスが蓄えられる気室を形成する気室ボディと、前記気室内の圧縮ガスを放出させる放出機構と、圧縮ガスが封入されたガスカートリッジを収納するための収納空間を形成するカートリッジ収納部と、前記カートリッジ収納部に収納されたガスカートリッジが連結され、このガスカートリッジ内の圧縮ガスを前記気室に導くカートリッジ取付部と、前記カートリッジ収納部の第１の面に設けられ、前記収納空間に導入される前記ガスカートリッジが通過する導入口と、前記カートリッジ収納部に設けられ、前記第１の面に沿う方向に移動する作用部と、前記導入口を閉じる蓋部と前記蓋部から突出する突部とを有し、前記突部を前記導入口に挿入させて前記カートリッジ収納部に着脱自在に取り付けられるパネルと、前記突部に設けられ、前記作用部が滑り接触する傾斜部と、を備える。
【発明の効果】
【００１０】
本発明によれば、作用部が傾斜部に滑り接触してパネルを押し出し、パネルがカートリッジ収納部から外れるので、玩具銃に取り付けられたガスカートリッジを覆い隠すパネルの着脱を容易にすることができる。また、傾斜部がカートリッジ収納部内に位置付けられるので、玩具銃の外観が損なわれない。
【図面の簡単な説明】
【００１１】
【図１】玩具銃の側面図である。
【図２】パネルが取り外された状態の玩具銃の側面図である。
【図３】パンクチャフレームの側面図である。
【図４】玩具銃の後方側から見たパンクチャフレーム及びクランプアームの斜視図である。
【図５】玩具銃の前方側から見たクランプアーム及び起こしレバーの斜視図である。
【図６】玩具銃の後方側から見た起こしレバーの斜視図である。
【図７】操作部が動かされる前のクランプアーム及び起こしレバーの側面図である。
【図８】操作部が動かされた状態のクランプアーム及び起こしレバーの側面図である。
【図９】パネルの表側の斜視図である。
【図１０】パネルの裏側の斜視図である。
【図１１】パネルが取り付けられている状態での玩具銃の図１のＡ−Ａ線断面図である。
【図１２】操作部が動かされた状態での玩具銃の図１のＡ−Ａ線断面図である。
【図１３】図１２に続いて操作部がさらに動かされた状態での玩具銃の図１のＡ−Ａ線断面図である。
【発明を実施するための形態】
【００１２】
実施の一形態を、図１ないし図１３に基づいて説明する。図１は、玩具銃１０１の側面図である。以下、図１にあらわれている玩具銃１０１の側を左側と呼ぶことがある。
【００１３】
玩具銃１０１の概形は、メインフレーム１０２により形成される。メインフレーム１０２は、銃口１０３、トリガガード１０４、グリップ１０５等の各部を形成する。グリップ１０５の左側の側面には、パネル１０６が取り付けられる。パネル１０６は、グリップ１０５に対して着脱自在である。また、グリップ１０５の右側の側面には、別のパネル１０７が取り付けられる（図１１、図１２、図１３参照）。
【００１４】
玩具銃１０１は、トリガ１０８を備える。トリガ１０８は、トリガガード１０４が形成する円形状の空間内に位置する。トリガ１０８は、玩具銃１０１の前後方向に動く。
【００１５】
図２は、パネル１０６が取り外された状態の玩具銃１０１の側面図である。図３は、パンクチャフレーム１１４の側面図である。図４は、玩具銃１０１の後方側から見たパンクチャフレーム１１４及びクランプアーム１２１の斜視図である。図２、図３及び図４を参照する。玩具銃１０１は、気室ボディ１１６を備える。気室ボディ１１６は、気室１１６ａを形成する。気室１１６ａは、密閉されている。気室１１６ａには、圧縮ガスＰＡが蓄えられる。気室ボディ１１６からは、筒部１１７が突出する。また、気室ボディ１１６には、ガス噴出機構１１６ｂが設けられる。ガス噴出機構１１６ｂは、トリガ１０８の動きに応じて気室１１６ａ内の圧縮ガスＰＡを銃口１０３側に放出させる。放出された圧縮ガスＰＡは、玩具銃１０１に籠められた弾丸Ｗを押し、この弾丸Ｗを銃口１０３から発射させる。ここに、トリガ１０８とガス噴出機構１１６ｂとは、放出機構１０９を構成する。
【００１６】
玩具銃１０１は、カートリッジ収納部１１１を備える。カートリッジ収納部１１１は、グリップ１０５に設けられ、メインフレーム１０２とパンクチャフレーム１１４とにより構成される。詳細には、グリップ１０５には、パンクチャフレーム１１４が嵌め込まれる。このパンクチャフレーム１１４は、グリップ１０５の形状にあわせて長尺をなしている。そして、メインフレーム１０２は、グリップ１０５に嵌めこまれたパンクチャフレーム１１４の左側の側面を覆っている。なお、メインフレーム１０２は、図２に示すように、導入口１１２（後述）の全てを覆わない。
【００１７】
カートリッジ収納部１１１には、筒状の収納空間１１１ａが形成される。この収納空間１１１ａには、筒状のガスカートリッジＢが収納される。ガスカートリッジＢは、例えば、金属素材で形成される。ガスカートリッジＢは、円筒状をなす。ガスカートリッジＢ内には、圧縮ガスＰＡが封入されている。圧縮ガスＰＡの例は、炭酸ガス、フロンガス、代替フロンガス等である。ガスカートリッジＢの一方の端部は窄まっていて、その先端には、蓋部Ｂ１が形成される。蓋部Ｂ１は、フィルム状の素材で形成され、ガスカートリッジＢ内の圧縮ガスＰＡを封止している。蓋部Ｂ１とは反対側にあるガスカートリッジＢの他方の端部には、半球形状の底部Ｂ２が形成される。
【００１８】
カートリッジ収納部１１１には、導入口１１２が形成される。導入口１１２は、グリップ１０５の左側の側面（第１の面１１１ｂ）に開口する。導入口１１２は、収納空間１１１ａと外部の空間とを連通する。ガスカートリッジＢは、この導入口１１２を通過して、収納空間１１１ａに導入される。
【００１９】
筒部１１７内には、カートリッジ取付部１１８が設けられる。カートリッジ取付部１１８は、中空の針形状をなしている。カートリッジ取付部１１８には、ガスカートリッジＢの蓋部Ｂ１が突き刺さる。カートリッジ取付部１１８は、この突き刺さったガスカートリッジＢ内の圧縮ガスＰＡを、気室１１６ａに導く。
【００２０】
カートリッジ収納部１１１における第１の面１１１ｂとは異なる後方側の側面（第２の面１１１ｃ）は、パンクチャフレーム１１４により形成される。第２の面１１１ｃには、摺動面１１４ａが形成される。摺動面１１４ａは、メインフレーム１０２により覆われておらず、玩具銃１０１の後方側から見え、クランプアーム１２１や起こしレバー１２５により隠される。摺動面１１４ａには、傾斜部１１４ｂが設けられる。傾斜部１１４ｂは、傾斜面１１４ｃを形成する。傾斜面１１４ｃは、下方に向かうほど後方側に突出するように傾斜している。
【００２１】
なお、別の実施の形態として、摺動面１１４ａはパンクチャフレーム１１４に形成されずに、メインフレーム１０２における玩具銃１０１の後方側の側面に形成されていても良い。この場合、パンクチャフレーム１１４の後方側の壁面は、玩具銃１０１の後方側に露出していても、メインフレーム１０２に覆われていても良い。
【００２２】
パンクチャフレーム１１４の一方の端部には、装着部１１５が形成される。装着部１１５には、筒部１１７が嵌め込まれる。
【００２３】
パンクチャフレーム１１４における装着部１１５とは反対側の端部には、第１のアーム要素Ｐ１としてのクランプアーム１２１が取り付けられる。クランプアーム１２１は、側面視においてＬ字状をなし、グリップ１０５の後方から下方にかけた箇所に配置される。ここで、クランプアーム１２１におけるグリップ１０５の後方側に位置する部分を、延出部１２１ａと呼ぶ。また、クランプアーム１２１におけるグリップ１０５の下方側に位置する部分を、下方部１２１ｂと呼ぶ。延出部１２１ａは、下方部１２１ｂから、摺動面１１４ａに対面するように迫り出している。
【００２４】
回動軸１２２は、下方部１２１ｂと、パンクチャフレーム１１４におけるカートリッジ収納部１１１よりも下方の部分とを連結する。クランプアーム１２１は、回動軸１２２の軸回り方向に回動自在となっている。クランプアーム１２１の下方部１２１ｂにおいて回動軸１２２よりも上方の箇所には、ローラ軸１２３ａが設けられる。ローラ軸１２３ａは、回動軸１２２と平行に延びている。ローラ軸１２３ａには、ローラ１２３が取り付けられる。ローラ１２３は、ローラ軸１２３ａの軸回り方向に回転自在となっている。ローラ１２３は、クランプアーム１２１の回動に伴って動き、カートリッジ収納部１１１に収納されたガスカートリッジＢの底部Ｂ２を上方に押し上げる。ここに、ローラ１２３は、押圧部１２３ｂとして機能する。
【００２５】
パンクチャフレーム１１４には、係合段部１３１が形成される。係合段部１３１は、導入口１１２の縁部で、装着部１１５と導入口１１２との間に設けられる。パンクチャフレーム１１４がメインフレーム１０２に覆われることにより、係合段部１３１は溝状になる。係合段部１３１には、爪部１０６ｄ（図９及び図１０に基づいて後述）が係合する。
【００２６】
図５は、玩具銃１０１の前方側から見たクランプアーム１２１及び起こしレバー１２５の斜視図である。図６は、玩具銃１０１の後方側から見た起こしレバー１２５の斜視図である。図４、図５及び図６を参照する。クランプアーム１２１の延出部１２１ａの上方の端部には、取付軸１２４を介して、第２のアーム要素Ｐ２としての起こしレバー１２５が取り付けられる。起こしレバー１２５は、取付軸１２４を中心に回動自在に、延出部１２１ａに連結されている。ここに、取付軸１２４は、支点部１２４ａとして機能する。
【００２７】
起こしレバー１２５の上端前方の辺は、当接部１２６としての役割を果たす。当接部１２６は、摺動面１１４ａ及び傾斜面１１４ｃを摺動する。この点については、図７及び図８に基づいて後述する。
【００２８】
起こしレバー１２５の後方側の側面で上端から下端にかけて、縦縞の意匠面１２５ａが形成される。意匠面１２５ａは、玩具銃１０１の後方側に露出する。
【００２９】
起こしレバー１２５は、操作部１２５ｂを有する。操作部１２５ｂは、取付軸１２４に対して当接部１２６とは反対側に位置する。操作部１２５ｂは、取付軸１２４よりも下方に延び、下方部１２１ｂの後方側の側面を覆う。使用者が操作部１２５ｂを持って後方側に引くと、操作部１２５ｂが延出部１２１ａから離れ、当接部１２６が取付軸１２４よりも前方側に動く。ここで、取付軸１２４には、トーションスプリング１２７が巻きつくように配置されている。トーションスプリング１２７は、起こしレバー１２５における取付軸１２４よりも上方の部分を後方側に押す。このため、使用者が操作部１２５ｂから手を離すと、当接部１２６が後方側に移動し、操作部１２５ｂが延出部１２１ａに近づく。
【００３０】
クランプアーム１２１及び起こしレバー１２５のいずれにも、パンクチャフレーム１１４の傾斜部１１４ｂの形状と一致する溝部１２８が形成されている。
【００３１】
起こしレバー１２５において支点部１２４ａよりも当接部１２６側には、作用部１３２が設けられる。作用部１３２は、当接部１２６における玩具銃１０１の左側の端部に位置し、起こしレバー１２５から玩具銃１０１の前方側に延びる板状の部分である。
【００３２】
図７は、操作部１２５ｂが動かされる前のクランプアーム１２１及び起こしレバー１２５の側面図である。図８は、操作部１２５ｂが動かされた状態のクランプアーム１２１及び起こしレバー１２５の側面図である。図７及び図８を参照する。作用部１３２は、パンクチャフレーム１１４に設けられた操作溝１３３（図２、図３、図４も参照）に入り込む。操作溝１３３は、パンクチャフレーム１１４の第２の面１１１ｃにおいて玩具銃１０１の左側の端部に設けられ、上下方向に延びている。作用部１３２は、操作溝１３３内で第１の面１１１ｂに沿って動くことができるようになっている。
【００３３】
クランプアーム１２１及び起こしレバー１２５の動きについて述べる。図７では、延出部１２１ａが摺動面１１４ａに接している。また、起こしレバー１２５は、クランプアーム１２１と重ね合わさっていて、第２の面１１１ｃを隠している。さらに、作用部１３２は、操作溝１３３に入り込み、この操作溝１３３の上方の端部に位置している。ここで、使用者が操作部１２５ｂを玩具銃１０１の後方側かつ上方に引き上げると、起こしレバー１２５は取付軸１２４を中心に回転する。これにより、当接部１２６は、摺動面１１４ａに接触したままで下方に摺動する。また、作用部１３２は、第１の面１１１ｂに沿って下方に動く。そして、延出部１２１ａは、後方側に動いてパンクチャフレーム１１４から離反する。その結果、クランプアーム１２１は、回動軸１２２を中心に後方側に回動する。
【００３４】
当接部１２６がさらに下方へ移動すると、当接部１２６は、傾斜面１１４ｃに接触し、パンクチャフレーム１１４から離反するように玩具銃１０１のさらに後方側に動く。これにより、クランプアーム１２１は、回動軸１２２を中心にさらに後方側に回動する。このとき、起こしレバー１２５の操作部１２５ｂは、グリップ１０５から後方側に突出し、使用者にとって握りやすくなる。使用者は、このように突出した操作部１２５ｂをつまんで、図８中の太矢印に示すように、起こしレバー１２５を後方かつ下方に引っ張ってクランプアーム１２１を回動させることができる。なお、ローラ１２３は、操作部１２５ｂが引き上げられるにつれ、回動軸１２２を中心に後方側に旋回し、カートリッジ収納部１１１よりも下方側に移動する。
【００３５】
また、使用者は、操作部１２５ｂをつまんで起こしレバー１２５を延出部１２１ａに重ねあわせ、後方側に引き出されたクランプアーム１２１を上方に押し上げることもできる。この場合、起こしレバー１２５及びクランプアーム１２１は、回動軸１２２を中心に回動する。そして、ローラ１２３は、上方に移動してカートリッジ収納部１１１内に入り込む。
【００３６】
図９は、パネル１０６の表側の斜視図である。図１０は、パネル１０６の裏側の斜視図である。図９及び図１０を参照する。パネル１０６は、グリップ１０５の左側の側面に着脱自在に取り付けられ、導入口１１２（図２等参照）を覆い隠す。
【００３７】
パネル１０６は、蓋部１０６ａと突部１０６ｂとを有する。蓋部１０６ａは、縦長の台形形状をなしていて、表側に凸となるように丸みを帯びている。蓋部１０６ａは、導入口１１２よりも大きく、グリップ１０５の側面よりも小さい。蓋部１０６ａの表側には、実銃を模したデザインが施された意匠面１０６ｇが形成される。また、突部１０６ｂは、蓋部１０６ａからパネル１０６の裏側に突出する。突部１０６ｂは、長円形の短い筒状をなしている。突部１０６ｂにおける二つの円状部１０６ｃの間には、爪部１０６ｄが設けられる。爪部１０６ｄは、係合段部１３１（図２、図３、図４等参照）に係合する。突部１０６ｂにおいて爪部１０６ｄに隣接する箇所には、傾斜部１０６ｅが設けられる。傾斜部１０６ｅは、突部１０６ｂの先端から蓋部１０６ａ側に凹んだ凹部１０６ｆを形成する。傾斜部１０６ｅは、蓋部１０６ａに対し傾斜し、凹部１０６ｆに対面している。
【００３８】
再び図２を参照する。このような玩具銃１０１に対し、使用者は、導入口１１２からカートリッジ収納部１１１内にガスカートリッジＢを導入する。玩具銃１０１の使用時や保管時には、パネル１０６がグリップ１０５に取り付けられ、パネル１０６の蓋部１０６ａが導入口１１２を閉じている。このため、カートリッジ収納部１１１内にガスカートリッジＢを導入するためには、パネル１０６を取り外さなければならない。以下、図２、図８、図１１、図１２及び図１３に基づいて、パネル１０６と導入口１１２との関係、及び、グリップ１０５に対するパネルの着脱について述べる。
【００３９】
図１１は、パネル１０６が取り付けられている状態での玩具銃１０１の図１のＡ−Ａ線断面図である。パネル１０６がグリップ１０５に取り付けられている状態では、蓋部１０６ａが導入口１１２を覆っている。また、突部１０６ｂの先端側の一部は、導入口１１２を通過して収納空間１１１ａ内に位置する。また、爪部１０６ｄは、係合段部１３１に係合して、パネル１０６の脱落を防止している。そして、起こしレバー１２５はパンクチャフレーム１１４の摺動面１１４ａに沿うように位置付けられている。また、作用部１３２は、凹部１０６ｆ内に位置している。
【００４０】
図１２は、操作部１２５ｂが動かされた状態での玩具銃１０１の図１のＡ−Ａ線断面図である。図８及び図１２を参照する。パネル１０６をグリップ１０５から取り外すために、使用者は、まず、起こしレバー１２５の操作部１２５ｂを図８中の矢印ＲＣの方向に引き上げる。これにより、起こしレバー１２５は、取付軸１２４を中心にクランプアーム１２１に対して回動する。そして、当接部１２６は、摺動面１１４ａと傾斜面１１４ｃとに沿って摺動し、下方に移動する。また、クランプアーム１２１は、回動軸１２２を中心に図８中の矢印ＲＤの方向に回動する。その結果、ローラ１２３は、回動軸１２２を中心に旋回してカートリッジ収納部１１１から退避する。
【００４１】
ここで、作用部１３２に着目する。作用部１３２は、当接部１２６の移動に伴い、操作溝１３３内で図８中の矢印ＲＥの方向に移動する。これにより、作用部１３２は、傾斜部１０６ｅに滑り接触する。そして、作用部１３２がさらに矢印ＲＥの方向に移動すると、作用部１３２が傾斜部１０６ｅを押し、この傾斜部１０６ｅを導入口１１２の方向に押し上げる。そして、作用部１３２が傾斜部１０６ｅを押すことによって、爪部１０６ｄは係合段部１３１（図２、図３、図４等参照）から外れる。その結果、パネル１０６の下方の端部は、パンクチャフレーム１１４から離反する。
【００４２】
図１３は、図１２に続いて操作部１２５ｂがさらに動かされた状態での玩具銃１０１の図１のＡ−Ａ線断面図である。図８及び図１３を参照する。作用部１３２がさらに矢印ＲＥの方向に移動すると、作用部１３２はパネル１０６を動かし続け、ついには凹部１０６ｆから脱する。その結果、パネル１０６の下方の端部とパンクチャフレーム１１４との間には空隙ＳＰが形成される。使用者は、この空隙ＳＰに指を入れて、パネル１０６をグリップ１０５から取り外し、収納空間１１１ａを露出させる。
【００４３】
再び図２を参照する。収納空間１１１ａが露出した状態で、使用者は、導入口１１２からガスカートリッジＢを導入し、ガスカートリッジＢを収納空間１１１ａ内に収納する。このとき、ガスカートリッジＢの蓋部Ｂ１は、カートリッジ取付部１１８に対面する。また、ガスカートリッジＢの底部Ｂ２は、ローラ１２３に対面する。
【００４４】
続いて、使用者は、突部１０６ｂを導入口１１２に挿入させ、爪部１０６ｄを係合段部１３１に係合させて、パネル１０６をグリップ１０５に取り付ける。また、使用者は、起こしレバー１２５をクランプアーム１２１に重ねあわせ、クランプアーム１２１の延出部１２１ａを摺動面１１４ａに接触させる。これにより、ローラ１２３は、回動軸１２２を中心に旋回し、ガスカートリッジＢの底部Ｂ２に接触する。ここで、さらに起こしレバー１２５が動くと、ローラ１２３は、ガスカートリッジＢの底部Ｂ２に沿って転がり、ガスカートリッジＢを上方に押し上げる。これにより、蓋部Ｂ１がカートリッジ取付部１１８に突き破られ、ガスカートリッジＢ内の圧縮ガスＰＡが気室１１６ａに入り込む。
【００４５】
カートリッジ取付部１１８が蓋部Ｂ１に突き刺さった状態で、使用者は、トリガ１０８を引く。これにより、ガス噴出機構１１６ｂが作動し、気室１１６ａ内の圧縮ガスＰＡが銃口１０３に向かう方向に噴出する。噴出された圧縮ガスＰＡは、玩具銃１０１内に籠められた弾丸Ｗを押し、この弾丸Ｗを銃口１０３から発射させる。なお、グリップ１０５にパネル１０６が取り付けられていなくても、弾丸Ｗは発射される。
【００４６】
ガスカートリッジＢの圧縮ガスＰＡが減少し、気室１１６ａ内の圧縮ガスＰＡの気圧が弾丸Ｗ（図４参照）を発射させるのに不十分になった場合について考える。この場合、使用者は、上述の手順でパネル１０６をグリップ１０５から取り外し、ローラ１２３を動かして、ガスカートリッジＢを収納空間１１１ａから取り出す。続いて、使用者は、新たなガスカートリッジＢを収納空間１１１ａに装着し、ローラ１２３を動かし、パネル１０６をグリップ１０５に取り付ける。
【００４７】
本実施の形態の玩具銃１０１によれば、作用部１３２が傾斜部１０６ｅに滑り接触してパネル１０６を押し出し、パネル１０６がカートリッジ収納部１１１から外れる。このため、玩具銃１０１に取り付けられガスカートリッジＢを覆い隠しているパネル１０６を容易に着脱できる。また、傾斜部１０６ｅがカートリッジ収納部１１１内に位置付けられるので、玩具銃１０１の外観が損なわれない。
【００４８】
さらに、本実施の形態の玩具銃１０１は、クランプアーム１２１（第１のアーム要素Ｐ１）と、起こしレバー１２５（第２のアーム要素Ｐ２）とを備えている。そして、作用部１３２は、起こしレバー１２５で取付軸１２４よりも当接部１２６側に設けられている。ここで、当接部１２６と支点部１２４ａとの間の距離に比べて、当接部１２６と操作部１２５ｂとの間の距離の方が長い。このため、パネル１０６を取り外すために使用者が加えるべき力は小さくて良い。また、操作部１２５ｂがカートリッジ収納部１１１から大きく離れ、使用者は、起こしレバー１２５をつまみやすくなる。
【００４９】
さらに、本実施の形態の玩具銃１０１では、ローラ１２３（押圧部１２３ｂ）がガスカートリッジＢを押し、ガスカートリッジＢの蓋部Ｂ１をカートリッジ取付部１１８に装着させる。そして、使用者が起こしレバー１２５を動かすことで、ガスカートリッジＢはスムーズにかつ確実にカートリッジ取付部１１８に装着される。
【符号の説明】
【００５０】
１０１  玩具銃
１０６  パネル
１０６ａ  蓋部
１０６ｂ  突部
１０６ｅ  傾斜部
１０９  放出機構
１１１ａ  収納空間
１１１ｂ  第１の面
１１１ｃ  第２の面
１１２  導入口
１１６  気室ボディ
１１６ａ  気室
１１８  カートリッジ取付部
１２３ｂ  押圧部
１２４ａ  支点部
１２５ｂ  操作部
１２６  当接部
１３２  作用部
Ｂ  ガスカートリッジ
Ｐ１  第１のアーム要素
Ｐ２  第２のアーム要素
ＰＡ  圧縮ガス
Ｗ  弾丸
【図１】
2012077960.tif 000003
【図２】
2012077960.tif 000004
【図３】
2012077960.tif 000005
【図４】
2012077960.tif 000006
【図５】
2012077960.tif 000007
【図６】
2012077960.tif 000008
【図７】
2012077960.tif 000009
【図８】
2012077960.tif 000010
【図９】
2012077960.tif 000011
【図１０】
2012077960.tif 000012
【図１１】
2012077960.tif 000013
【図１２】
2012077960.tif 000014
【図１３】
2012077960.tif 000015